(57)【要約】【課題】複数人で気持ちよく衛生的に使える足ふきマットを提供する。【解決手段】矩形の複数枚のマット２１を備えた足ふきマット１である。足ふきマット１は、複数枚のマット２１が、対向する対辺の中央同士を結ぶ線上で互いに縫い合わされ、縫い合わされた縫い目部分２２で全体として二つ折り可能とされている。足ふきマット１は、好ましくは、複数枚のマット２１のうち、少なくとも一枚のマット２１の、縫い目部分２２と平行な一辺の両端に輪２３が設けられているのがよい。【選択図】図１
0003163182.tif 000002
【実用新案登録請求の範囲】
【請求項１】
矩形の複数枚のマットを備える足ふきマットであって、
前記複数枚のマットは、対向する対辺の中央同士を結ぶ線上で互いに縫い合わされ、
当該縫い合わされた縫い目部分で全体として二つ折り可能とされていることを特徴とする足ふきマット。
【請求項２】
前記複数枚のマットのうち、少なくとも一枚のマットには、前記縫い目部分と平行な一辺の両端に輪が設けられていることを特徴とする請求項１に記載の足ふきマット。
【請求項３】
前記輪は、一番外側のマットに設けられていることを特徴とする請求項２に記載の足ふきマット。
【請求項４】
前記複数枚のマットのそれぞれは、表面と裏面の両方の面が吸水性を有することを特徴とする請求項１から請求項３のいずれか１項に記載の足ふきマット。
【請求項５】
床との間に敷かれる滑り止めマットをさらに備えることを特徴とする請求項１から請求項４のいずれか１項に記載の足ふきマット。
【考案の詳細な説明】
【技術分野】
【０００１】
本考案は、足ふきマットに関する。
【背景技術】
【０００２】
お風呂上がり等に使用する足ふきマットは、一枚を複数人で使用した場合、二人目以降に使用した人が濡れた足ふきマットを使用しなければならなかった。そこで従来より、使用者それぞれが未使用のマットを使えるように、複数枚のマットが重ねられて構成される足ふきマットが考えられてきた。
【０００３】
例えば、タオル布地の裏面に合皮が接着されたマットが複数枚重ねられ、一端部で固定された足ふきマット（例えば、特許文献１参照）や、防水滑り止め加工された裏地とこの裏地の上に重なる複数枚のマットがそれぞれの中央部で一直線状に縫い合わされ、本のように構成された足ふきマット（例えば、特許文献２参照）が知られている。
【先行技術文献】
【特許文献】
【０００４】
【特許文献１】特開２０１０−１７５１０号公報
【特許文献２】実用新案登録第３１４４４８４号公報
【考案の概要】
【考案が解決しようとする課題】
【０００５】
しかしながら、特許文献１の足ふきマットでは、重ねられたマットのうち、下層に位置するマットを使う際には、当該マットよりも上に重ねられているマットをめくって使用するため、マット二枚分のスペースが必要であった。また、特許文献２の足ふきマットでは、本のように構成されたマットをめくっていくと、めくられたマットが片側に重なっていき、マットの中央で段差が生じるため、使い心地が悪かった。そして、特許文献１及び特許文献２の足ふきマットでは、合皮や防水滑り止め加工された裏地といった洗濯に不向きな素材が利用されているため、洗濯が困難であった。
【０００６】
そこで、本考案は、複数人で気持ちよく衛生的に使える足ふきマットを提供することを目的とする。
【課題を解決するための手段】
【０００７】
前記目的を達成するため、本考案の足ふきマットは、矩形の複数枚のマットを備える足ふきマットであって、前記複数枚のマットは、対向する対辺の中央同士を結ぶ線上で互いに縫い合わされ、当該縫い合わされた縫い目部分で全体として二つ折り可能とされていることを特徴とする。
【０００８】
このように構成された足ふきマットによれば、複数人で使用する場合に、それぞれが複数枚のマットのうち未使用のマットで足を拭くことができる。また、当該足ふきマットは、全体として二つ折りにして使用できるため、一番上に重ねられた使用済みのマットをめくり、重ねられている複数枚のマットの一番下側へ移動できるので、使用するマットのみのスペースで使用することができる。
【０００９】
そして、本考案は、前記複数枚のマットのうち、少なくとも一枚のマットには、前記縫い目と平行な一辺の両端に輪を設けることが望ましい。
【００１０】
このように足ふきマットに輪を設けることにより、足ふきマットを洗濯した際に、この輪を利用して干すことができる。また、輪を持つことで、使用済みのマットに直接触れることなく、足ふきマットを持つことができる。
【００１１】
また、前記輪は、一番外側のマットに設けられていることが望ましい。
【００１２】
このように輪を設けることによって、一番外側のマットが一目でわかるため、最初に使った人がどのマットを使用したのかがわかる。また、輪の位置を基準にして、予め誰がどのマットを使用するか決めておくこともできる。
【００１３】
そして、本考案は、前記複数枚のマットのそれぞれが、表面と裏面の両方の面が吸水性を有することが望ましい。
【００１４】
このように構成された足ふきマットによれば、複数のマットの表面と裏面の両方で足をふくことが可能であるため、より多くの人数で使用することができる。
【００１５】
また、本考案は、床との間に敷かれる滑り止めマットをさらに備えることができる。
【００１６】
このように滑り止めマットを備えることで、マットがずれないようにすることができる。また、滑り止めマットを複数枚のマットと一体としないことで、マットのみを洗濯すればよいので、洗濯が簡単である。
【考案の効果】
【００１７】
本考案によれば、複数人で同じ足ふきマットを使用しても、それぞれが未使用のマットで足をふくことができ、また、洗濯がしやすく衛生的である。
【図面の簡単な説明】
【００１８】
【図１】本考案の一実施形態に係る足ふきマットを示す斜視図である。
【図２】本考案の一実施形態に係るマット本体を示す斜視図である。
【図３】本考案の一実施形態に係るマット本体のマット一枚をめくった状態を示す図（ａ）と、（ａ）のめくったマットを一番下側に折り返した状態を示す図（ｂ）である。
【図４】本考案の一実施形態に係るマット本体を干した状態を示す図である。
【考案を実施するための形態】
【００１９】
次に、本考案の一実施形態について、適宜図面を参照しながら詳細に説明する。
足ふきマット１は、図１に示すように、マット本体２と滑り止めマット３から構成されている。
【００２０】
マット本体２は、図２に示すように、重ねられた状態で互いに縫い合わされた二枚のマット２１から構成されている。二枚のマット２１は、厚手のパイル地等からなる矩形のバスマットから形成されており、対向する対辺の中央同士を結ぶように一直線状に縫い合わされた、長手方向の大きさを二等分する縫い目部分２２を有している。また、二枚のマット２１は、それぞれ表面、裏面の両面とも吸水性を有し、マット２１の両面で足を拭くことが可能となっている。
【００２１】
また、二枚のマット２１のうち、一方のマット２１には、縫い目部分２２と平行な一辺の両端に紐等から形成される輪２３が設けられている。
【００２２】
輪２３は、図１に示すように、マット２１の片面に縫いつけられているのが望ましい。このように輪２３が設けられているため、ユーザがマット本体２を二つ折りにする際に、輪２３を目印にして、常に同じ面を外側にすることができる。これにより、ユーザは、使用開始時に、常に同じ面を一番上にして置くことができる。
【００２３】
滑り止めマット３は、マット本体２と床の間に敷かれるマットであり、公知の滑り止め材料から構成されている。滑り止めマット３は、二つ折りにされたマット本体２の大きさと略同じ大きさの矩形状に形成されている。この滑り止めマット３をマット本体２と床の間に敷くことで、マット本体２の上に足を載せた際に、マット本体２がずれるのを防止することができる。
【００２４】
次に、このように構成された足ふきマット１の使用方法について説明する。
まず、足ふきマット１を使用する際には、マット本体２を縫い目部分２２に沿って二つ折りにする。そして、床に敷いた滑り止めマット３の上に、二つ折りにしたマット本体２を置く。このように折り畳んで置くことで、マットが四枚分重ねられた状態で置かれることになる。
【００２５】
このとき、輪２３が設けられている面２１Ａが最上面となるように二つ折りにして置くことが望ましい。これにより、一人目がどの面を使ったのかがわかりやすくなる。
【００２６】
そして、一人目が使い終わり、二人目が使うときには、図３（ａ）に示すように、一番上に重ねられていたマットをめくり、マット本体２の下側へ折り返す。このようにすることで、図３（ｂ）に示すように、使用済みのマットがマット本体２の一番下に位置し、未使用の面が一番上に現れた状態となる。
【００２７】
このように、一番上に重ねられているマットを一番下へ折り返すことを４回繰り返すと、最初に一番上にあった輪２３が設けられている面２１Ａが再び一番上に現れる。このとき、マット本体２全体を裏返し（輪２３が設けられている面２１Ａが一番下になるように裏返す）ことで、各マット２１のまだ使っていない面を使用することができる。このように使うことで、重ねられたマット２１の表面と裏面の両面を使うことができるので、計八面で足がふけるようになっている。
【００２８】
また、このマット本体２を洗濯して乾かすとき、または、使用の合間に濡れたマット本体２を乾かしておくときには、図４に示すように、輪２３をフック４に引っかけたり、洗濯ばさみでとめたりすることで、簡単に干すことができる。
【００２９】
以上によれば、本実施形態において以下のような作用効果を得ることができる。
マット本体２は、それぞれの中央部で互いに縫い合わされた二枚のマット２１から形成されているので、複数人で使用する場合に、それぞれが複数枚のマットのうち未使用のマットで足を拭くことができる。また、マット本体２は、縫い目部分２２で二つ折りにして使用されるため、使用済みのマットをめくり、一番下側へ移動できるので、使用するマット分のスペースで使用することができる。
【００３０】
そして、マット本体２には、一番外側のマット２１に輪２３が設けられているため、一番外側のマットが一目でわかり、最初に使った人がどのマットを使用したのかがわかる。また、輪２３の位置を基準にして、予め誰がどのマットを使用するか決めておくこともできる。そして、この輪２３を利用して、マット本体２を干すことができる。
【００３１】
また、マット２１が表面と裏面の両面で吸水性を有するため、マット２１の両面で足を拭くことができる。
【００３２】
そして、マット本体２と床との間に滑り止めマット３を敷くことによって、マット本体２がずれないようにすることができる。また、滑り止めマット３をマット本体２と別に設けているため、マット本体２のみを洗濯すればよいので、洗濯が簡単である。
【００３３】
以上、本考案の実施形態について説明したが、本考案は前記実施形態に限定されるものではない。具体的な構成については、本考案の趣旨を逸脱しない範囲で適宜変更が可能である。
【００３４】
前記実施形態では、マット本体２の一番外側のマット２１に輪２３が設けられていたが、本考案はこれに限定されるものではない。例えば、各マット２１の四隅に輪２３を設けてもよい。このように各マット２１に輪２３を設けることで、使用済みのマットに直接触れることなく、マット本体２を持つことができる。また、輪２３の色等をそれぞれ異なるものにしておけば、自分専用のマット等を決めておくこともできる。
【００３５】
また、前記実施形態では、マット本体２が二枚のマット２１から形成されていたが、本考案はこれに限定されるものではなく、三枚以上のマット２１から形成されていてもよい。このように三枚以上のマット２１から構成ことによって、より多くの人が使用することができる。
【００３６】
また、前記実施形態では、二枚のマット２１の縫い目部分２２は一直線状であったが、本考案はこれに限定されるものではない。例えば、縫い目部分２２は、一直線上で連続せず、断続的であってもよい。
【符号の説明】
【００３７】
１      足ふきマット
２      マット本体
３      滑り止めマット
２１    マット
２２    縫い目部分
２３    輪
【図１】
0003163182.tif 000003
【図２】
0003163182.tif 000004
【図３】
0003163182.tif 000005
【図４】
0003163182.tif 000006